(57)【要約】本開示の実施例は、電源タップの制御方法及び装置に関する。当該方法は、周囲環境における現在の温度パラメータを取得することと、前記現在の温度パラメータに基づいて、前記電源タップの現在使用可能な最大パワーを確定することと、現在に給電されている各電器のトータルパワーを取得することと、前記トータルパワーが前記現在使用可能な最大パワーよりも大きい場合に、前記電源タップを前記各電器のうち少なくとも一つの電器への給電を遮断するように制御することと、を含む。【選択図】図１
2021509217.tif 000002
【特許請求の範囲】
【請求項１】
電源タップの制御方法であって、
周囲環境における現在の温度パラメータを取得することと、
前記現在の温度パラメータに基づいて、前記電源タップの現在使用可能な最大パワーを確定することと、
現在に給電されている各電器のトータルパワーを取得することと、
前記トータルパワーが前記現在使用可能な最大パワーよりも大きい場合に、前記電源タップを前記各電器のうち少なくとも一つの電器への給電を遮断するように制御することと、
を含む電源タップの制御方法。
【請求項２】
前記現在の温度パラメータに基づいて、前記電源タップの現在使用可能な最大パワーを確定することは、
予め設定された温度パラメータと使用可能な最大パワーとの間の対応関係に基づいて、現在の温度パラメータにおける前記電源タップの現在使用可能な最大パワーを確定することを含み、
前記温度パラメータと使用可能な最大パワーとの間の対応関係は、負の相関関係を有する、請求項１に記載の電源タップの制御方法。
【請求項３】
前記現在の温度パラメータに基づいて、前記電源タップの現在使用可能な最大パワーを確定することは、
前記周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定することと、
前記周囲環境における現在の温度パラメータと前回に確定された最大パワーに対応する温度パラメータとの差が所定の閾値よりも大きい場合に、予め設定された調整手段に従って、前記電源タップの現在使用可能な最大パワーを調整することと、を含み、
前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる、請求項１に記載の電源タップの制御方法。
【請求項４】
前記電源タップを前記各電器のうち少なくとも一つの電器への給電を遮断するように制御することは、
前記電源タップを前記各電器のうち直近に通電された電器への給電を遮断するように制御することを含む、請求項１に記載の電源タップの制御方法。
【請求項５】
前記トータルパワーが前記現在使用可能な最大パワーよりも大きい場合に、前記電源タップに受けるパワーが過大になっていることをユーザに提示するための提示情報を出力することを更に含む、請求項１に記載の電源タップの制御方法。
【請求項６】
電源タップの制御装置であって、
周囲環境における現在の温度パラメータを取得するように配置される第一取得モジュールと、
前記現在の温度パラメータに基づいて、前記電源タップの現在使用可能な最大パワーを確定するように配置される確定モジュールと、
現在に給電されている各電器のトータルパワーを検出するように配置される第二取得モジュールと、
前記トータルパワーが前記現在使用可能な最大パワーよりも大きい場合に、前記電源タップを前記各電器のうち少なくとも一つの電器への給電を遮断するように制御するように配置される制御モジュールと、を備える電源タップの制御装置。
【請求項７】
前記確定モジュールは、
予め設定された温度パラメータと使用可能な最大パワーとの間の対応関係に基づいて、現在の温度パラメータにおける前記電源タップの現在使用可能な最大パワーを確定するように配置される第一確定サブモジュールを備え、
前記温度パラメータと使用可能な最大パワーとの間の対応関係は、負の相関関係を有する、請求項６に記載の電源タップの制御装置。
【請求項８】
前記確定モジュールは、
前記周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定するように配置される第二確定サブモジュールと、
前記周囲環境における現在の温度パラメータと前回に確定された最大パワーに対応する温度パラメータとの間の差が所定の閾値よりも大きい場合に、予め設定された調整手段に従って、前記電源タップの現在使用可能な最大パワーを調整するように配置される第三確定サブモジュールと、を備え、
前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる、請求項６に記載の電源タップの制御装置。
【請求項９】
前記制御モジュールは、
前記電源タップを前記各電器のうち直近に通電された電器への給電を遮断するように制御するように配置される制御サブモジュールを備える、請求項６に記載の電源タップの制御装置。
【請求項１０】
前記トータルパワーが前記現在使用可能な最大パワーよりも大きい場合に、前記電源タップに受けるパワーが過大になっていることをユーザに提示するための提示情報を出力するように配置される出力モジュールを更に備える、請求項６に記載の電源タップの制御装置。
【請求項１１】
電源タップの制御装置であって、
プロセッサと、
プロセッサに実行可能な命令を記憶するように配置されるメモリと、を備え、
前記プロセッサは請求項１〜５の何れか一項に記載の電源タップの制御方法におけるステップを実行するように配置される、電源タップの制御装置。
【請求項１２】
コンピュータ命令が記憶されているコンピュータ読取可能な記憶媒体であって、
前記コンピュータ命令がプロセッサにより実行される場合、請求項１〜５の何れか一項に記載の電源タップの制御方法におけるステップを実現する、コンピュータ読取可能な記憶媒体。
【発明の詳細な説明】
【技術分野】
【０００１】
関連出願への相互参照
本願は、出願番号がＣＮ  ２０１８１１２８０５９２．１、出願日が２０１８年１０月３０日である中国特許出願に基づいて提出し、当該中国特許出願の優先権を要求している。当該中国特許出願の全ての内容は参照として本願に援用される。
【０００２】
本開示の実施例は、スマートホーム技術分野に関し、特に電源タップの制御方法及び装置に関する。
【背景技術】
【０００３】
一般的に、他の回路と接続するように、コンセントに各種のプラグを差し込むことが可能である。社会の発展及び技術の進歩につれて、人間は生活の便利及び快適を求め始まる。人間の生活のニーズを満たすために、各種の電気的な製品が生まれ、使用しなければならないコンセントも益々多くなる。従って、複数のソケットを持つ電源タップは、ますます重要な役割を果たし、われわれの生活における必要品になってくる。
【発明の概要】
【発明が解決しようとする課題】
【０００４】
本開示の実施例は、電源タップの制御方法及び装置を提供した。前記技術案は、以下のようになる。
【課題を解決するための手段】
【０００５】
本開示の実施例の第一の様態によれば、周囲環境における現在の温度パラメータを取得することと、前記現在の温度パラメータに基づいて、前記電源タップの現在使用可能な最大パワーを確定することと、現在に給電されている各電器のトータルパワーを取得することと、前記トータルパワーが前記現在使用可能な最大パワーよりも大きい場合に、前記電源タップを前記各電器のうち少なくとも一つの電器への給電を遮断するように制御することと、を含む電源タップの制御方法を提供した。
【０００６】
一つの実施例において、前記現在の温度パラメータに基づいて、前記電源タップの現在使用可能な最大パワーを確定することは、予め設定された温度パラメータと使用可能な最大パワーとの間の対応関係に基づいて、現在の温度パラメータにおける前記電源タップの現在使用可能な最大パワーを確定することを含み、前記温度パラメータと使用可能な最大パワーとの間の対応関係は、負の相関関係を有する。
【０００７】
一つの実施例において、前記現在の温度パラメータに基づいて、前記電源タップの現在使用可能な最大パワーを確定することは、前記周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定することと、前記周囲環境における現在の温度パラメータと前回に確定された最大パワーに対応する温度パラメータとの差が所定の閾値よりも大きい場合に、予め設定された調整手段に従って、前記電源タップの現在使用可能な最大パワーを調整することとを含み、前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる。
【０００８】
一つの実施例において、前記電源タップを前記各電器のうち少なくとも一つの電器への給電を遮断するように制御することは、前記電源タップを前記各電器のうち直近に通電された電器への給電を遮断するように制御することを含む。
【０００９】
一つの実施例において、前記方法は、更に、前記トータルパワーが前記現在使用可能な最大パワーよりも大きい場合に、前記電源タップに受けるパワーが過大になっていることをユーザに提示するための提示情報を出力する、ことを含む。
【００１０】
本開示の実施例の第二の様態によれば、周囲環境における現在の温度パラメータを取得するように配置される第一取得モジュールと、前記現在の温度パラメータに基づいて、前記電源タップの現在使用可能な最大パワーを確定するように配置される確定モジュールと、現在に給電されている各電器のトータルパワーを検出するように配置される第二取得モジュールと、前記トータルパワーが前記現在使用可能な最大パワーよりも大きい場合に、前記電源タップを前記各電器のうち少なくとも一つの電器への給電を遮断するように制御するように配置される制御モジュールと、を備える電源タップの制御装置を提供した。
【００１１】
一つの実施例において、前記確定モジュールは、予め設定された温度パラメータと使用可能な最大パワーとの間の対応関係に基づいて、現在の温度パラメータにおける前記電源タップの現在使用可能な最大パワーを確定するように配置される第一確定サブモジュールを備え、前記温度パラメータと使用可能な最大パワーとの間の対応関係は、負の相関関係を有する。
【００１２】
一つの実施例において、前記確定モジュールは、前記周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定するように配置される第二確定サブモジュールと、前記周囲環境における現在の温度パラメータと前回に確定された最大パワーに対応する温度パラメータとの間の差が所定の閾値よりも大きい場合に、予め設定された調整手段に従って、前記電源タップの現在使用可能な最大パワーを調整するように配置される第三確定サブモジュールと、を備え、前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる。
【００１３】
一つの実施例において、前記制御モジュールは、前記電源タップを前記各電器のうち直近に通電された電器への給電を遮断するように制御するように配置される制御サブモジュールを備える。
【００１４】
一つの実施例において、前記装置は更に、前記トータルパワーが前記現在使用可能な最大パワーよりも大きい場合に、前記電源タップに受けるパワーが過大になっていることをユーザに提示するための提示情報を出力するように配置される出力モジュールを備える。
【００１５】
本開示の実施例の第三の様態によれば、プロセッサと、プロセッサに実行可能な命令を記憶するように配置されるメモリと、を備え、前記プロセッサは上記の方法におけるステップを実行するように配置される電源タップの制御装置を提供した。
【００１６】
本開示の実施例の第四の様態によれば、コンピュータ命令が記憶されており、前記コンピュータ命令がプロセッサにより実行される場合、上記の方法におけるステップを実現する、コンピュータ読取可能な記憶媒体を提供した。
【００１７】
本開示の実施例により提供された技術案は、以下のような有益な効果を含むことができる。即ち、本実施例は、周囲環境における現在の温度パラメータを取得し、前記現在の温度パラメータに基づいて、前記電源タップの現在使用可能な最大パワーを確定し、現在に給電されている各電器のトータルパワーを検出し、前記トータルパワーが前記現在使用可能な最大パワーよりも大きい場合に、前記電源タップから前記各電器のうち少なくとも一つの電器への給電を遮断することができる。これにより、電源タップの周囲環境における現在の温度パラメータに基づいて、電源タップの現在使用可能な最大パワーを自動的に調整することにより、最大パワーの調整の柔軟性を向上し、現在に前記電源タップにより給電されている各電器のトータルパワーが最大パワーよりも大きい場合に、前記電源タップから前記各電器のうち少なくとも一つの電器への給電を遮断することにより、電源タップにハイパワー電器が接続された場合に発生した熱が即時に放出できないことが回避され、ある程度でユーザによる電源タップの使用及び家電の安全性も確保する。
【００１８】
理解すべきなのは、いままでの概要説明とこれからの細かい説明は、例示で解釈的なものに過ぎず、本開示の実施例を限定しない。
【図面の簡単な説明】
【００１９】
ここでの図面は、明細書に導入されて本明細書の一部として構成されており、本開示に適する実施例を示し、且つ明細書と共に本開示の実施例の原理を解釈する。
【図１】例示的な実施例により示された電源タップの制御方法のフローチャートである。
【図２】例示的な実施例により示された電源タップの制御方法のフローチャートである。
【図３】例示的な実施例により示された電源タップの制御方法のフローチャートである。
【図４】例示的な実施例により示された電源タップの制御方法の使用場面の模式図である。
【図５】例示的な実施例により示された電源タップの制御装置のブロック図である。
【図６】例示的な実施例により示された電源タップの制御装置のブロック図である。
【図７】例示的な実施例により示された電源タップの制御装置のブロック図である。
【図８】例示的な実施例により示された電源タップの制御装置のブロック図である。
【図９】例示的な実施例により示された電源タップの制御装置のブロック図である。
【図１０】例示的な実施例により示された電源タップの制御装置のブロック図である。
【発明を実施するための形態】
【００２０】
ここでは、例示的な実施例を詳しく説明する。その例示は図面に示された。以下の説明は、図面に係わる場合に、異なる図面における同じ数字は、特別な説明以外、同じ又は類似の要素を示す。以下の例示的な実施例に記載されている実施形態は、本開示の実施例と一致する全ての実施形態を示すわけではない。逆に、それらは、添付された特許請求の範囲に詳しく説明された、本開示の実施例の幾つかの様態と一致する装置及び方法の例に過ぎない。
【００２１】
現在、電源タップは、基本的な給電要求を実現するだけではなく、基本的な安全制御を実現できることも求められる。われわれに知られているように、家電を使用する過程において、電源タップそのものに一定の熱が発生する。同様な家電を接続するには、電源タップが位置している環境の温度が高いと、放熱の効果が相対的に悪くなる。この場合に、電源タップは、安全性に関するリスクを発生する可能性が相対的に高くなる。
【００２２】
前記の課題を解決するために、本実施例においては、周囲環境における現在の温度パラメータを取得し、前記現在の温度パラメータに基づいて、前記電源タップの現在使用可能な最大パワーを確定し、現在に前記電源タップにより給電されている各電器のトータルパワーを検出し、前記トータルパワーが前記現在使用可能な最大パワーよりも大きい場合に、前記電源タップから前記各電器のうち少なくとも一つの電器への給電を遮断することができる。このように、電源タップの周囲環境における現在の温度パラメータに基づいて、電源タップの現在使用可能な最大パワーを自動調整することにより、最大パワーの調整の柔軟性を向上し、且つ現在に前記電源タップにより給電されている各電器のトータルパワーが最大パワーよりも大きい場合に、前記電源タップから前記各電器のうち少なくとも一つの電器への給電を遮断することにより、電源タップにハイパワーの電器が接続されている際に発生された熱が即時に放出できないことが回避され、ある程度でユーザが電源タップ及び家電を使用する安全性を確保する。
【００２３】
図１は、例示的な実施例により示された電源タップの制御方法のフローチャートである。図１に示されたように、当該電源タップの制御方法は、電源タップ又は端末に適用され、以下のステップ１０１〜１０４を含む。
【００２４】
ステップ１０１において、周囲環境における現在の温度パラメータを取得する。
【００２５】
ステップ１０２において、前記現在の温度パラメータに基づいて、前記電源タップの現在使用可能な最大パワーを確定する。
【００２６】
ステップ１０３において、現在に前記電源タップにより給電されている各電器のトータルパワーを取得する。
【００２７】
ステップ１０４において、前記トータルパワーが前記現在使用可能な最大パワーよりも大きい場合に、前記各電器のうち少なくとも一つの電器への給電を遮断するように前記電源タップを制御して、前記少なくとも一つの電器への給電が遮断された後、給電トータルパワーが前記現在使用可能な最大パワーより大きくないようにする。
【００２８】
ここでは、本実施例により提供された電源タップの制御方法は、電源タップ又は端末における制御装置により実現可能である。
【００２９】
ここでは、当該周囲環境における現在温度は、電源タップの周囲に環境温度と電源タップそのものの発熱により総合的に発生されるリアルタイム温度である。電源タップの周囲環境における現在の温度が高いほど、その放熱環境が悪くなり、電源タップに安全性に関するリスクを発生する可能性が高くなる。この場合に、電源タップの使用の安全性を確保するために、多すぎる熱が発生して電源タップが焼損することを回避するように、当該電源タップに使用可能な最大パワーを小さくする。
【００３０】
上記のように、本実施例における電源タップは、接続されている使用電器へ給電する基本機能を具備するだけではなく、温度センサも更に設置される。電源タップが電源に接続された（通常は部屋における給電ソケットに接続された）後に、制御装置は、当該温度センサにより所定の期間ごとに電源タップの周囲環境における現在の温度パラメータを検出し採集することができる。当該温度センサは、温度をセンシングして使用可能な出力信号、例えば電圧信号に変換可能なセンサである。当該温度パラメータは、当該温度センサにより検出される温度を示すことが可能なパラメータ、例えば電圧信号などを含むが、勿論温度値であっても良い。
【００３１】
ここでは、制御装置は、電源タップの周囲環境における現在の温度パラメータを周期的に取得可能である。そして、制御装置は、電源タップの周囲環境における現在の温度パラメータにより示された温度が大きいほど、前記電源タップの現在使用可能な最大パワーが小さくなるルールに従って、当該現在の温度パラメータに応じて前記電源タップの現在使用可能な最大パワーを確定することができる。
【００３２】
ここでは、電源タップには、パワー検出回路が設置されても良い。当該パワー検出回路は、現在に前記電源タップにより給電されている各電器のパワーを自動的に検出し、各電器のトータルパワーを取得するように配置される。当該制御装置が電源タップに設置されている場合に、当該制御装置は、直接にパワー検出回路により各電器のトータルパワーを検出可能である。当該制御装置が端末に設置されている場合に、当該制御装置は電源タップから送信された各電器のトータルパワーを受信することができる。
【００３３】
ここでは、当該制御装置が各電器のトータルパワーを取得した後に、前記トータルパワーが前記現在使用可能な最大パワーよりも大きい場合に、現在の給電中の電器のトータルパワーが現在に電源タップに受け可能なパワーの上限を超えたことを示す。この場合に、当該制御装置は、電源タップの使用安全性を考慮した上で、電源タップに受けるトータルパワーを減少し、多すぎる熱が発生して電源タップを焼損することを回避するように、前記電源タップを前記各電器のうち少なくとも一つの電器への給電を遮断するように制御することができる。当該制御装置が電源タップに設置されている場合に、当該制御装置は、前記各電器のうち少なくとも一つの電器への給電を直接に遮断することができる。当該制御装置が端末に設置されている場合に、当該制御装置は、電源タップへ制御命令を送信して前記電源タップを前記各電器のうち少なくとも一つの電器への給電を遮断するように制御することができる。
【００３４】
ここでは、当該電源タップ上の全てのソケットは、一つのスイッチだけで遮断と給電を制御する可能性がある。この場合に、当該電源タップは、当該電源タップ上の全ての電器への給電を遮断するように当該唯一のスイッチしか遮断するように制御できない。勿論、当該電源タップ上に複数のスイッチが設置されても良い。スイッチのそれぞれは、少なくとも一つのソケットの遮断と給電を制御する。この場合に、当該電源タップは、そのうちの何れか一つ又は複数のスイッチを選択して遮断するように制御して、当該電源タップ上の少なくとも一つの電器への給電を遮断させることにより、前記電源タップの給電遮断後の給電トータルパワーが前記現在使用可能な最大パワーより大きくないようにすることができる。勿論、全てのスイッチを遮断するように制御して、当該電源タップ上の全ての電器への給電を遮断しても良く、ここでは限定されない。
【００３５】
本実施例は、前記電源タップの周囲環境における現在の温度パラメータを取得し、前記現在の温度パラメータに基づいて前記電源タップの現在使用可能な最大パワーを確定し、現在に前記電源タップにより給電されている各電器のトータルパワーを取得し、前記トータルパワーが前記現在使用可能な最大パワーよりも大きい場合に、前記電源タップを前記各電器のうち少なくとも一つの電器への給電を遮断するように制御することができる。このように、電源タップの周囲環境における現在の温度パラメータに基づいて、電源タップの現在使用可能な最大パワーを自動的に調整することにより、最大パワーの調整の柔軟性を向上し、現在に前記電源タップにより給電されている各電器のトータルパワーが最大パワーよりも大きい場合に、前記電源タップから前記各電器のうち少なくとも一つの電器への給電を遮断することにより、電源タップにハイパワー電器が接続されている際に発生した熱が即時に放出できないことが回避され、ある程度でユーザによる電源タップの使用及び家電の安全性を確保した。
【００３６】
一つの可能な実施形態において、前記電源タップの制御方法におけるステップ１０２は、以下のステップＡ１として実施可能である。
【００３７】
ステップＡ１において、予め設定された温度パラメータと使用可能な最大パワーとの間の対応関係に基づいて、現在の温度パラメータにおける前記電源タップの現在使用可能な最大パワーを確定する。
【００３８】
なお、前記温度パラメータと使用可能な最大パワーとは負の相関の対応関係を有する。
【００３９】
ここでは、当該制御装置内に温度パラメータと使用可能な最大パワーとの対応関係が予め記憶されても良い。例示的に、（ａ，  ｂ］範囲内にある温度パラメータに対応する最大パワーがｃであるような対応関係が設置されても良い。これにより、制御装置は、取得された電源タップの周囲環境における現在の温度パラメータがｅであり、（ａ，  ｂ］範囲内にある場合に、前記電源タップの現在使用可能な最大パワーがｃであると確定することができる。
【００４０】
或いは、例示的に、当該対応関係は、最大パワー＝ｋ＊現在の温度パラメータ＋ｎ、のような線形的に比例する対応関係であっても良い。なお、ｋとｎは、具体的な電源タップに応じて設置される常数である。これにより、制御装置は、電源タップの周囲環境における現在の温度パラメータを取得した場合に、当該線形的に比例する公式により前記電源タップの現在使用可能な最大パワーを確定することができる。
【００４１】
本実施例は、予め設定された温度パラメータと使用可能な最大パワーとの間の対応関係に基づいて、現在の温度パラメータにおける前記電源タップの現在使用可能な最大パワーを確定することができる。なお、前記温度パラメータと使用可能な最大パワーとは負の相関の対応関係を有するため、確定手段が快速で正確である。
【００４２】
一つの可能な実施形態において、前記電源タップの制御方法におけるステップ１０２は、以下のステップＡ２及びＡ３として実施可能である。
【００４３】
ステップＡ２において、前記電源タップの周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定する。なお、電源タップは、現在の温度パラメータを周期的に検出する。
【００４４】
ステップＡ３において、前記電源タップの周囲環境における現在の温度パラメータと前回に確定された最大パワーに対応する温度パラメータとの差が所定の閾値よりも大きい場合に、予め設定された調整手段に従って前記電源タップの現在使用可能な最大パワーを調整する。
【００４５】
なお、前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる。勿論、当該調整手段には、現在の温度パラメータと前回に確定された最大パワーに対応する温度パラメータを比べて温度が所定の温度値だけ降下した場合に、前記現在使用可能な最大パワーが前回に確定された最大パワーより所定のパワー値だけ増加することも含まれる。
【００４６】
ここでは、電源タップは、現在の温度パラメータを周期的に検出することができる。現在の温度パラメータと前回に確定された最大パワーに対応する温度パラメータを比べて温度が１度だけ上昇するごとに、前記現在使用可能な最大パワーが前回に確定された最大パワーより２００ワットだけ減少すると仮定する。これにより、電源タップの使用中に、制御装置は一定の時間ごとに、温度センサにより周囲環境における現在の温度パラメータを取得することができる。周囲環境における現在の温度パラメータと前回に確定された最大パワーに対応する温度パラメータとの間の差が所定の閾値以下であること、即ち両者に示された温度が同じ又は温度差が１度よりも小さいと発見された場合に、現在の環境温度の変化が非常に小さいと意味するため、制御装置により電源タップを前回に確定された最大パワーのまま維持するように制御することができる。周囲環境における現在の温度パラメータと前回に確定された最大パワーに対応する温度パラメータとの間の差が所定の閾値よりも大きい、即ち両者に示された温度差が１度よりも大きいと発見された場合に、現在の環境温度の変化が大きいと意味し、例えば当該温度パラメータは環境温度が１度だけ上昇したと示した場合に、現在の環境温度が高く、放熱効果が悪いと考える。この場合に、制御装置は、自動的に電源タップの使用可能な最大パワーの上限を２００ワットだけ下へ調整することができる。勿論、当該温度パラメータは環境温度が２度だけ上昇したと示した場合に、自動的に電源タップの使用可能な最大パワーの上限を４００ワットだけ下へ調整する。これにより、電源タップの使用可能な最大パワーは、周囲環境の温度の変化に従って変化する。
【００４７】
ここで説明すべきなのは、制御装置には、一回目に確定された最大パワー例えば２０００ワットと、それに対応する温度パラメータ例えば室温２５度に対応する温度パラメータとが予め記憶される。
【００４８】
本実施例は、前記電源タップの周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定し、前記電源タップの周囲環境における現在の温度パラメータと前回に確定された最大パワーに対応する温度パラメータとの間の差が所定の閾値よりも大きい場合に、予め設定された調整手段に従って前記電源タップの現在使用可能な最大パワーを調整することができる。これにより、温度差が大きくなる場合のみ、現在使用可能な最大パワーを調整するため、頻繁的に無駄な調整を行うことが減少される。
【００４９】
一つの可能な実施形態において、前記電源タップの制御方法におけるステップ１０４は、以下のステップＢ１として実施可能である。
【００５０】
ステップＢ１において、前記電源タップを前記各電器のうち直近に通電された電器への給電を遮断するように制御する。
【００５１】
ここでは、当該電源タップにおけるソケット毎に対応してスイッチを設置した場合に、電源タップにより給電される各電器のトータルパワーが前記の現在使用可能な最大パワーよりも大きいである場合に、直近に通電された電器へ給電したことに起因して電源タップにより給電されている各電器のトータルパワーが現在に電源タップに受け可能なパワーの上限を超えたと意味する。この場合に、当該制御装置は、電源タップの使用の安全性を考慮した上で、電源タップを前記電源タップから前記各電器のうち直近に通電された電器への給電を遮断するように制御することができる。これにより、電源タップに受けるトータルパワーをいままで最大パワーを超えていない時のレベルまで減少することにより、電源タップに差込んで通電される電器のパワーが過大になって電源タップを焼損することを効率的に回避することができる。
【００５２】
本実施例は、電源タップから給電されている各電器のトータルパワーが前記現在使用可能な最大パワーよりも大きい場合に、前記電源タップを前記各電器のうち直近に通電された電器への給電を遮断するように制御することができる。これにより、電源タップに受けるトータルパワーがいままで最大パワーを超えていない時のレベルまで減少することにより、電源タップに差込んで通電される電器のパワーが過大になって電源タップを焼損することを効率的に回避することができる。
【００５３】
一つの可能な実施形態において、前記電源タップの制御方法は、更に以下のステップＣ１を含んでも良い。
【００５４】
ステップＣ１において、前記トータルパワーが前記現在使用可能な最大パワーよりも大きいである場合に、提示情報を出力する。前記提示情報は、前記電源タップに受けるパワーが過大になっていることをユーザに提示するためのものである。
【００５５】
ここでは、当該制御装置は、トータルパワーが前記現在使用可能な最大パワーよりも大きいである場合に、提示情報を出力することもできる。例えば、音声として「現在環境温度が高すぎ、電源タップに接続されている電器が多すぎる」などの情報を出力して、現在に当該電源タップから給電されている電器のトータルパワーが電源タップの安全使用の上限を超えたことをユーザに提示することができる。これにより、ユーザは、当該提示情報を気づくと、当該電源タップからの給電が遮断された電器に対して他の給電手段で給電することができる。
【００５６】
ここで説明すべきなのは、当該電源タップにブザーが設置されている場合に、当該提示情報がブザー音であっても良い。当該制御装置は、ブザーにより当該提示情報を出力することができる。又は、当該電源タップのソケット毎に対応して提示ランプが設置されている場合に、当該提示情報が提示ランプの点灯情報であっても良い。当該制御装置は、ある電器への給電が遮断されると、対応する提示ランプを消灯するなどことができる。
【００５７】
本実施例は、前記トータルパワーが前記現在使用可能な最大パワーよりも大きいである場合に、提示情報を出力して前記電源タップに受けるパワーが過大になっていることをユーザに提示することにより、ユーザに電源タップからの給電が遮断された当該電器へ他の給電手段で給電させることができる。
【００５８】
以下に幾つかの実施例により実現の過程を詳しく説明する。
【００５９】
図２は例示的な実施例により示された電源タップの制御方法のフローチャートである。図２に示されたように、当該電源タップの制御方法は、端末又は電源タップなどのデバイスにより実現可能であり、ステップ２０１〜２０５を含む。
【００６０】
ステップ２０１において、周囲環境における現在の温度パラメータを取得する。
【００６１】
ステップ２０２において、予め設定された温度パラメータと使用可能な最大パワーとの間の対応関係に応じて現在の温度パラメータにおける前記電源タップの現在使用可能な最大パワーを確定する。
【００６２】
なお、前記温度パラメータと使用可能な最大パワーとは負の相関の対応関係を有する。
【００６３】
ステップ２０３において、現在に給電されている各電器のトータルパワーを取得する。
【００６４】
ステップ２０４において、前記トータルパワーが前記現在使用可能な最大パワーよりも大きい場合に、前記電源タップを前記各電器のうち直近に通電された電器への給電を遮断するように制御する。
【００６５】
ステップ２０５において、前記トータルパワーが前記現在使用可能な最大パワーよりも大きい場合に、提示情報を出力する。前記提示情報は、前記電源タップに受けるパワーが過大になっていることをユーザに提示するためのものである。
【００６６】
図３は例示的な実施例により示された電源タップの制御方法のフローチャートである。図３に示されたように、当該電源タップの制御方法は、端末又は電源タップなどのデバイスにより実現可能であり、ステップ３０１〜３０５を含む。
【００６７】
ステップ３０１において、周囲環境における現在の温度パラメータを取得する。
【００６８】
ステップ３０２において、前記周囲環境における現在の温度パラメータと前回に確定された最大パワーに対応する温度パラメータとの差が所定の閾値以下である場合に、前記電源タップの現在使用可能な最大パワーを前回に確定された最大パワーとして確定する。
【００６９】
ステップ３０３において、前記周囲環境における現在の温度パラメータと前回に確定された最大パワーに対応する温度パラメータとの間の差が所定の閾値よりも大きい場合に、予め設定された調整手段に従って前記電源タップの現在使用可能な最大パワーを調整する。
【００７０】
なお、前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる。
【００７１】
ステップ３０４において、現在に給電されている各電器のトータルパワーを取得する。
【００７２】
ステップ３０５において、前記トータルパワーが前記現在使用可能な最大パワーよりも大きい場合に、前記電源タップを前記各電器のうち少なくとも一つの電器への給電を遮断するように制御する。
【００７３】
例示的に、図４は例示的な実施例により示された電源タップの制御方法の使用場面の模式図である。図４に示されたように、当該電源タップ４０は、現在に空気清浄機４１、洗濯機４２及びテレビ４３へ給電している。検出された現在の温度パラメータが２５度、現在使用可能な最大パワーが１３００ワット、取得された現在に給電されている空気清浄機４１のパワーが１００ワット、洗濯機４２のパワーが１１００ワット、テレビ４３のパワーが３００ワット、現在に給電されている各電器のトータルパワーが１５００ワットであると仮定する。この場合に、電源タップは、電源タップを前記各電器のうちテレビ４３への給電を遮断するように制御することにより、遮断された給電トータルパワーが１２００ワットになり、前記現在使用可能な最大パワー１５００ワットより大きくない。
【００７４】
以下は本開示の装置の実施例であり、本開示の方法の実施例を実行可能である。
【００７５】
図５は例示的な実施例により示された電源タップの制御装置のブロック図である。当該装置は、ソフトウェア、ハードウェア或いは両者の組合せにより電子デバイスの一部又は全体として実現可能である。図５に示されたように、当該電源タップの制御装置は、周囲環境における現在の温度パラメータを取得するように配置される第一取得モジュール５０１と、前記現在の温度パラメータに基づいて前記電源タップの現在使用可能な最大パワーを確定するように配置される確定モジュール５０２と、現在に給電されている各電器のトータルパワーを検出するように配置される第二取得モジュール５０３と、前記トータルパワーが前記現在使用可能な最大パワーよりも大きい場合に、前記電源タップを前記各電器のうち少なくとも一つの電器への給電を遮断するように制御するように配置される制御モジュール５０４と、を備える。
【００７６】
一つの可能な実施例として、図６は例示的な実施例により示された電源タップの制御装置のブロック図である。図６に示されたように、前記開示された電源タップの制御装置は、更に確定モジュール５０２に第一確定サブモジュール５０２１を備えるように配置可能である。
【００７７】
第一確定サブモジュール５０２１は、予め設定された温度パラメータと使用可能な最大パワーとの間の対応関係に応じて、現在の温度パラメータにおける前記電源タップの現在使用可能な最大パワーを確定するように配置される。
【００７８】
なお、前記温度パラメータと使用可能な最大パワーとは負の相関の対応関係を有する。
【００７９】
一つの可能な実施例として、図７は例示的な実施例により示された電源タップの制御装置のブロック図である。図７に示されたように、前記開示された電源タップの制御装置は、更に確定モジュール５０２に第二確定サブモジュール５０２２と第三確定サブモジュール５０２３とを備えるように配置可能である。
【００８０】
第二確定サブモジュール５０２２は、前記電源タップの周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定するように配置される。
【００８１】
第三確定サブモジュール５０２３は、前記電源タップの周囲環境における現在の温度パラメータと前回に確定された最大パワーに対応する温度パラメータとの間の差が所定の閾値よりも大きい場合に、予め設定された調整手段に従って前記電源タップの現在使用可能な最大パワーを調整するように配置される。
【００８２】
なお、前記調整手段には、現在の温度パラメータと前回に確定された最大パワーに対応する温度パラメータを比べて温度が所定の温度値だけ上昇した場合に、前記現在使用可能な最大パワーが前回に確定された最大パワーより所定のパワー値だけ減少することが含まれる。
【００８３】
一つの可能な実施例として、図８は例示的な実施例により示された電源タップの制御装置のブロック図である。図８に示されたように、前記開示された電源タップの制御装置は更に、制御モジュール５０４に制御サブモジュール５０４１を備えるように配置可能である。
【００８４】
制御サブモジュール５０４１は、前記電源タップを前記各電器のうち直近に通電された電器への給電を遮断するように制御するように配置される。
【００８５】
一つの可能な実施例として、図９は例示的な実施例により示された電源タップの制御装置のブロック図である。図９に示されたように、前記開示された電源タップの制御装置は更に、出力モジュール５０５を備えるように配置可能である。
【００８６】
出力モジュール５０５は、前記トータルパワーが前記現在使用可能な最大パワーよりも大きい場合に、提示情報を出力するように配置される。前記提示情報は、前記電源タップに受けるパワーが過大になっていることをユーザに提示するためのものである。
【００８７】
前記実施例における装置について、各モジュールにより操作を実行する具体的な方式は、既に当該方法に関する実施例に詳しく説明されたため、ここでは詳しく説明しない。
【００８８】
図１０は例示的な実施例により示された電源タップの制御装置のブロック図である。例えば、装置１０００は、一つの端末又は電源タップとして提供可能である。装置１０００は処理コンポーネント１０１１を備え、更に一つ又は複数のプロセッサ、及び処理コンポーネント１０１１により実行可能な命令、例えばアプリを記憶するように配置される、メモリ１０１２をはじめとしたメモリリソースを備える。メモリ１０１２に記憶されるアプリには、一つ又はそれ以上の、それぞれ一セットの命令に対応するモジュールが備えられても良い。また、処理コンポーネント１０１１は、命令を実行することにより、前記制御方法を実行するように配置される。
【００８９】
装置１０００は、更に、装置１０００の電源管理を実行するように配置される電源コンポーネント１０１３と、装置１０００をネットワークに接続するように配置される有線／無線ネットワークインターフェース１０１４と、入出力（Ｉ／Ｏ）インターフェース１０１５とを備えても良い。装置１０００は、メモリ１０１２に記憶された、例えばＷｉｎｄｏｗｓ  ＳｅｒｖｅｒＴＭ、Ｍａｃ  ＯＳ  ＸＴＭ、ＵｎｉｘＴＭ、  ＬｉｎｕｘＴＭ、ＦｒｅｅＢＳＤＴＭのようなオペレーティングシステムを操作可能である。
【００９０】
不揮発的なコンピュータ読取可能な記憶媒体は、前記記憶媒体における命令が装置１０００のプロセッサにより実行されると、装置１０００に前記電源タップの制御方法を実行させる。前記方法は、周囲環境における現在の温度パラメータを取得することと、前記現在の温度パラメータに基づいて前記電源タップの現在使用可能な最大パワーを確定することと、現在に給電されている各電器のトータルパワーを取得することと、前記トータルパワーが前記現在使用可能な最大パワーよりも大きい場合に、前記電源タップを前記各電器のうち少なくとも一つの電器への給電を遮断するように制御することと、を含む。
【００９１】
一つの実施例において、前記現在の温度パラメータに基づいて前記電源タップの現在使用可能な最大パワーを確定することは、予め設定された温度パラメータと使用可能な最大パワーとの間の対応関係に基づいて、現在の温度パラメータにおける前記電源タップの現在使用可能な最大パワーを確定することを含む。前記温度パラメータと使用可能な最大パワーとは負の相関の対応関係を有する。
【００９２】
一つの実施例において、根据前記現在の温度パラメータに基づいて前記電源タップの現在使用可能な最大パワーを確定することは、前記周囲環境における現在の温度パラメータと前回に確定された最大パワーに対応する温度パラメータとの間の差が所定の閾値以下である場合に、前記電源タップの現在使用可能な最大パワーを前回に確定された最大パワーとして確定することと、前記周囲環境における現在の温度パラメータと前回に確定された最大パワーに対応する温度パラメータとの間の差が所定の閾値よりも大きい場合に、予め設定された調整手段に従って、前記電源タップの現在使用可能な最大パワーを調整することとを含む。
【００９３】
なお、前記調整手段には、現在の温度パラメータと前回に確定された最大パワーに対応する温度パラメータとを比べて温度が所定の温度値だけ上昇した場合に、前記現在使用可能な最大パワーが前回に確定された最大パワーより所定のパワー値だけ減少することが含まれる。
【００９４】
一つの実施例において、前記電源タップを前記各電器のうち少なくとも一つの電器への給電を遮断するように制御することは、前記電源タップを前記各電器のうち直近に通電された電器への給電を遮断するように制御することを含む。
【００９５】
一つの実施例において、前記方法は、更に、前記トータルパワーが前記現在使用可能な最大パワーよりも大きい場合に、提示情報を出力することを含む。前記提示情報は、前記電源タップに受けるパワーが過大になっていることをユーザに提示するためのものである。
【００９６】
本実施例は更に、プロセッサと、プロセッサに実行可能な命令を記憶するように配置されるメモリとを備える電源タップの制御装置を提供した。なお、前記プロセッサは、周囲環境における現在の温度パラメータを取得し、前記現在の温度パラメータに基づいて前記電源タップの現在使用可能な最大パワーを確定し、現在に給電されている各電器のトータルパワーを取得し、前記トータルパワーが前記現在使用可能な最大パワーよりも大きい場合に、前記電源タップを前記各電器のうち少なくとも一つの電器への給電を遮断するように制御するように配置される。
【００９７】
一つの実施例において、前記プロセッサは更に、前記現在の温度パラメータに基づいて前記電源タップの現在使用可能な最大パワーを確定することに、予め設定された温度パラメータと使用可能な最大パワーとの間の対応関係に基づいて、現在の温度パラメータにおける前記電源タップの現在使用可能な最大パワーを確定することが含まれるように配置されても良い。なお、前記温度パラメータと使用可能な最大パワーとは負の相関の対応関係を有する。
【００９８】
一つの実施例において、前記プロセッサは更に、前記現在の温度パラメータに基づいて前記電源タップの現在使用可能な最大パワーを確定することに、前記周囲環境における現在の温度パラメータと前回に確定された最大パワーに対応する温度パラメータとの差が所定の閾値以下である場合に、前記電源タップの現在使用可能な最大パワーを前回に確定された最大パワーとして確定し、前記周囲環境における現在の温度パラメータと前回に確定された最大パワーに対応する温度パラメータとの間の差が所定の閾値よりも大きい場合に、予め設定された調整手段に従って、前記電源タップの現在使用可能な最大パワーを調整することが含まれるように配置されても良い。
【００９９】
なお、前記調整手段には、現在の温度パラメータと前回に確定された最大パワーに対応する温度パラメータとを比べて温度が所定の温度値だけ上昇した場合に、前記現在使用可能な最大パワーが前回に確定された最大パワーより所定のパワー値だけ減少することが含まれる。
【０１００】
一つの実施例において、前記プロセッサは更に、前記電源タップを前記各電器のうち少なくとも一つの電器への給電を遮断するように制御することに、前記電源タップを前記各電器のうち直近に通電された電器への給電を遮断するように制御することが含まれるように配置されても良い。
【０１０１】
一つの実施例において、前記プロセッサは更に、前記方法に、前記トータルパワーが前記現在使用可能な最大パワーよりも大きい場合に、前記電源タップに受けるパワーが過大になっていることをユーザに提示する提示情報を出力することが更に含まれるように配置されても良い。
【０１０２】
当業者は、明細書及びここで開示された内容による実際の運用を考慮した上で、本開示の実施例の他の実施形態を容易に想到できる。本願は、本開示の実施例に関する如何なる変形、用途又は適応的な変化をカバーするようにする。これら変形、用途又は適応的な変化は、本開示の実施例の一般的な原理に従い、且つ本開示の実施例に未開示の当分野における公知常識又は慣用技術手段を含む。明細書及び実施例は、例示的なものに過ぎない。本開示の実施例の実際的な範囲及び主旨は、以下の特許請求の範囲により示される。理解すべきなのは、本開示の実施例は、いままで説明され、図面に示された細かい構成に限定されず、その範囲から逸脱されない限りに、各種の補正及び変更を行うことができる。本開示の実施例の範囲は、添付された特許請求の範囲だけで限定される。
【０１０３】
本開示の実施例により提供された技術案は、以下のような有益な効果を含んでも良い。即ち、本開示の実施例は、周囲環境における現在の温度パラメータを取得し、前記現在の温度パラメータに基づいて前記電源タップの現在使用可能な最大パワーを確定し、現在に給電されている各電器のトータルパワーを検出し、前記トータルパワーが前記現在使用可能な最大パワーよりも大きい場合に、前記電源タップから前記各電器のうち少なくとも一つの電器への給電を遮断することができる。これにより、電源タップの周囲環境における現在の温度パラメータに基づいて、電源タップの現在使用可能な最大パワーを自動的に調整することにより、最大パワーの調整の柔軟性を向上し、現在に前記電源タップにより給電されている各電器のトータルパワーが最大パワーよりも大きい場合に、前記電源タップから前記各電器のうち少なくとも一つの電器への給電を遮断することにより、電源タップにハイパワー電器が接続された場合に発生した熱が即時に放出できないことが回避され、ある程度でユーザによる電源タップの使用及び家電の安全性も確保した。
【図１】
2021509217.tif 000003
【図２】
2021509217.tif 000004
【図３】
2021509217.tif 000005
【図４】
2021509217.tif 000006
【図５】
2021509217.tif 000007
【図６】
2021509217.tif 000008
【図７】
2021509217.tif 000009
【図８】
2021509217.tif 000010
【図９】
2021509217.tif 000011
【図１０】
2021509217.tif 000012
【国際調査報告】
2021509217.tif 000013
2021509217.tif 000014
2021509217.tif 000015
2021509217.tif 000016
2021509217.tif 000017